(57)【要約】【課題】この発明に係る冷凍機用除氷装置は、蒸発器に付着した氷の厚みが増えても、加熱された除氷水を蒸発器に向けて噴射して、蒸発器表面に付着した氷を熱により融かすとともに、噴射された除氷水の動圧により除去し、氷を短時間で取り除くことができ、また、蒸発器から離れたところの氷にも除氷水を浴びせ、氷を取り除くことができる冷凍機用除氷装置を提供するものである。【解決手段】この発明に係る冷凍機用除氷装置は、外部から除氷水を供給する第一の水管５と、その除氷水を内部に通しながら加熱される熱交換コイル３と、熱交換コイル３を加熱するガスバーナー４と、そのガスバーナー４の燃料であるガスボンベ７と、加熱された除氷水を噴射する噴出ノズル８と、熱交換コイル３、ガスバーナー４、ガスボンベ７を内蔵するケースとを備えている。【選択図】図１
2007100988.tif 000002
【特許請求の範囲】
【請求項１】
除氷水を使用して冷凍機の蒸発器に付着した氷を除去する冷凍機用除氷装置において、
外部から前記除氷水が供給される第一の水管と、
前記第一の水管の一端部に接続され、前記第一の水管から供給される前記除氷水が加熱される被加熱部と、
前記被加熱部の近傍に設けられ、前記被加熱部を加熱する加熱部と、
前記加熱部に供給されるエネルギーを貯蔵するエネルギー貯蔵部と、
一端部が前記被加熱部に接続され、前記被加熱部で加熱された前記除氷水が供給される第一のホースと、
前記第一のホースの他端部に接続され、前記第一のホースから供給される前記除氷水を噴射する噴出ノズルとを備え、
前記加熱部、前記被加熱部および前記エネルギー貯蔵部が同一のケースに内蔵されている
ことを特徴とする冷凍機用除氷装置。
【請求項２】
さらに、前記噴出ノズルから噴射された前記除氷水を貯留する排水受けと、
一端部が前記排水受けに接続される第二のホースと、
前記第二のホースの他端部に接続され、排水受けの前記除氷水を汲み上げるポンプと、
前記ポンプと前記第一の水管との間に接続され、前記ポンプに汲み上げられた前記除氷水を第一の水管に供給する第二の水管と、
前記第一の水管に設けられ、外部から供給される前記除氷水を調節する第一のバルブと、
前記第二の水管に設けられ、汲み上げられた前記除氷水を調節する第二のバルブと、
を備えたことを特徴とする請求項１に記載の冷凍機用除氷装置。
【請求項３】
前記噴出ノズルには、前記前記除氷水の飛散を防ぐ断熱シートが設けられていることを特徴とする請求項１または請求項２に記載の冷凍機用除氷装置。
【請求項４】
前記噴出ノズルは、可撓性を有していることを特徴とする請求項１ないし請求項３のいずれか１項に記載の冷凍機用除氷装置。
【請求項５】
前記噴出ノズルの上部には、前記蒸発器に係止されるフックが設けられていることを特徴とする請求項１ないし請求項４のいずれか１項に記載の冷凍機用除氷装置。
【請求項６】
前記加熱部は、ガスバーナーであり、前記エネルギー貯蔵部はガスボンベであることを特徴とする請求項１ないし請求項５のいずれか１項に記載の冷凍機用除氷装置。
【発明の詳細な説明】
【技術分野】
【０００１】
この発明は、除氷水を用いて冷凍機の蒸発器に付着した氷を除去する冷凍機用除氷装置に関する。
【背景技術】
【０００２】
従来の冷凍機として、特許文献１の図２には、高温・高圧の冷媒が蒸発器に送り込まれ、蒸発器表面に付着した氷を除去する構造が示されている。冷媒を高温・高圧に圧縮する圧縮機１の出口から管が二つに分岐し、その一方が第一の開閉弁２を介して凝縮器３と接続されている。この凝縮器３の出口は膨張弁５を介して蒸発器６に接続されている。また、圧縮機１の出口で分岐した管の他方は第二の開閉弁１３を介して蒸発器６に接続されている。蒸発器の出口は再び圧縮機に接続されている。冷凍時には第一の開閉弁を開け、第二の開閉弁を閉め、除氷時には、第一の開閉弁を閉め、第二の開閉弁を開ける制御を行う制御部２０が設けられている。凝縮器３の近傍には、凝縮器用ファン９が設けられており、凝縮器３に向けて送風する。また、蒸発器６の近傍には蒸発器用ファン１０が設けられており、蒸発器６に向けて送風する。
【０００３】
このものの場合、冷凍機の冷凍サイクルでは、制御部２０により第一の開閉弁２が開き、第二の開閉弁１３が閉められるので、圧縮機１で高温・高圧にされた冷媒は、凝縮器３に送り込まれる。冷媒は、凝縮器用ファン９により冷却され液化し、膨張弁５を通って蒸発器６で断熱膨張し、冷媒が気化する。蒸発器６の近傍に設けられた蒸発器用ファン１１により風が送られ、冷媒の気化熱によりこの風が冷却される。この時、空気中に含まれる水分が冷却され、蒸発器６の表面に、徐々に着氷する。蒸発器６で膨張した冷媒は、再び圧縮機１に戻り圧縮される。
一方、除氷サイクルでは、制御部２０により第一の開閉弁２が閉められ、第二の開閉弁１３が開けられているので、圧縮機１で高温・高圧にされた冷媒は、そのまま蒸発器６へと送られる。蒸発器６は高温・高圧の冷媒により加熱されて、蒸発器６表面に着氷した氷が融ける。蒸発器６で熱交換により冷却された冷媒は再び圧縮機１に戻る。
【０００４】
【特許文献１】特開平１０−２２０９３２号公報（図２）
【発明の開示】
【発明が解決しようとする課題】
【０００５】
しかしながら、上記構成の冷凍機では、高温・高圧の冷媒により暖められた蒸発器からの熱伝導のみで除氷を行うので、蒸発器に付着した氷の厚みが増えると、その氷の厚い部分は融けにくく、除氷時間が長くなるという問題点があった。さらに、蒸発器から離れたところに着氷した場合、蒸発器からの熱伝導のみでは除氷することが困難であるという問題点があった。
【０００６】
この発明は、上述のような問題点を解決することを課題とするもので、その目的は、蒸発器に付着した氷の厚みが増えた場合でも、加熱された除氷水を蒸発器に向けて噴射して、蒸発器表面に付着した氷を熱により融かすとともに、噴射された除氷水の動圧におり除去し、氷を短時間で取り除くことができ、さらに、蒸発器から離れたところに着氷した場合であっても、除氷水をその氷に向けて噴射して、氷を取り除くことができる冷凍機用除氷装置を提供するものである。
【課題を解決するための手段】
【０００７】
この発明に係る冷凍機用除氷装置は、除氷水を使用して冷凍機の蒸発器に付着した氷を除去する冷凍機用除氷装置において、外部から前記除氷水が供給される第一の水管と、前記第一の水管の一端部に接続され、前記第一の水管から供給される前記除氷水が加熱される被加熱部と、前記被加熱部の近傍に設けられ、前記被加熱部を加熱する加熱部と、
前記加熱部に供給されるエネルギーを貯蔵するエネルギー貯蔵部と、一端部が前記被加熱部に接続され、前記被加熱部で加熱された前記除氷水が供給される第一のホースと、前記第一のホースの他端部に接続され、前記第一のホースから供給される前記除氷水を噴射する噴出ノズルとを備え、前記加熱部、前記被加熱部および前記エネルギー貯蔵部が同一のケースに内蔵されているものである。
【発明の効果】
【０００８】
この発明に係る冷凍機用除氷装置によれば、蒸発器に付着した氷の厚みが増えた場合でも、加熱された除氷水を蒸発器に向けて噴射して、蒸発器表面に付着した氷を熱により融かすとともに、噴射された除氷水の動圧により除去し、氷を短時間で取り除くことができ、さらに、蒸発器から離れたところに着氷した場合であっても、除氷水をその氷に向けて噴射して、氷を取り除くことができる効果がある。
【発明を実施するための最良の形態】
【０００９】
実施の形態１．
以下、この発明の実施の形態１に係る冷凍機用除氷装置について図面に基づいて説明する。
図１はこの発明の実施の形態１に係る冷凍機用除氷装置の全体構成図である。
【００１０】
この冷凍機用除氷装置は、除氷水を加熱する温水製造部１と、加熱された除氷水を蒸発器に向けて噴射する温水噴出部２と、温水製造部１と温水噴出部２との間に設けられ、温水製造部１から温水噴出部２へ除氷水が供給される第一のホース１３と、また、温水噴出部２から温水製造部１へ除氷水が供給される第二のホース１５とから構成される。
【００１１】
温水製造部１は、内部に除氷水が供給され、除氷水が加熱される被加熱部である熱交換コイル３と、熱を発生させて除氷水を加熱する加熱部であるガスバーナー４とを備えており、熱交換コイル３の近傍にガスバーナー４が配置されている。
また、この熱交換コイル３は、外部から水を供給する第一の水管５の一端部が接続されている。この第一の水管５の中間には、外部からの水の量を調節する第一のバルブ６が設けられている。
さらに、温水製造部１は、ガスバーナー４が燃焼するためのエネルギー貯蔵部であるガスボンベ７が設けられている。また、熱交換コイル３、ガスバーナー４およびガスボンベ７は同一のケース１９に内蔵されている。
【００１２】
温水噴出部２は、除氷水を噴射する噴出ノズル８を備えている。この噴出ノズル８は、可撓性のある銅配管であり、除氷する蒸発器の形状に合わせて変形させることができる。噴出ノズル８の表面には除氷水が噴水するための複数の噴出穴９が形成されている。
【００１３】
噴出ノズル８には、断熱シート１０が吊下されている。これにより、噴射された除氷水の飛散を防ぐことができる。
噴出ノズル８の上面には、この噴出ノズル８を冷凍機に装着するためのフック１１が設けられている。
断熱シート１０の下方には、除氷に使用された除氷水と、除氷水によって氷が融解した水を貯留するための排水受け１２が設けられている。
【００１４】
第一のホース１３は、一端部が熱交換コイル３と接続され、熱交換コイル３で加熱された除氷水が供給される。また、第一のホース１３の他端部には噴出ノズル８が接続され、温水噴出部２の噴出ノズル８に除氷水を供給する。
第二のホース１５は、一端部が排水受け１２と接続され、排水受け１２に貯留された除氷水を供給される。また、第二のホース１５の他端部には吸引ポンプ１４が接続され、温水製造部１の吸引ポンプ１４に除氷水を供給する。
【００１５】
温水製造部１は、一端部が吸引ポンプ１４と接続され、吸引ポンプ１４により汲み上げられた除氷水を供給する第二の水管１６を備えている。また、この第二の水管１６の他端部には第一の水管５が接続され、一度使用された除氷水を再度、第一の水管５に供給する。この第二の水管１６に中間には、貯留された除氷水の調節を行う第二のバルブ１７が設けられており、第一のバルブ６を組み合わせて、外部からの水を用いるか、または、除氷水の再利用をするかを調節する。
【００１６】
また、温水製造部１は、この冷凍機用除氷装置の異常動作を防止する保護装置１８を有している。
保護装置１８は、熱交換コイル３内の除氷水の有無を検知する、図示しない水位センサーと、この水位センサーが熱交換コイル３内の除氷水が無いと判定した場合に、水位センサーの信号により、ガスバーナー４が燃焼できないようにする、図示しない制御装置を備えている。これらにより、熱交換コイル３内に除氷水が無い状態で、ガスバーナー４を点火しようとしても点火しない。また、ガスバーナー４が燃焼中に、熱交換コイル３内の除氷水が無くなってしまったときは、ガスバーナー４が瞬時に消化する。
【００１７】
また、この保護装置１８は、熱交換コイル３内の除氷水の温度が所定以上または所定以下になったことを検知する、図示しない温度センサーと、この温度センサーが熱交換コイル３内の除氷水の温度が所定の温度を超えていると判定した場合に、温度センサーの信号により、ガスバーナー４による除氷水の過熱防止を防ぐ、図示しない制御装置を備えている。これにより、噴出ノズル８から除氷水が噴霧されていないときは、ガスバーナー４の燃焼は自動的に止まる。また、噴出ノズル８から除氷水が噴霧され始めると、ガスバーナー４は自動的に燃焼をする。
【００１８】
さらに、この保護装置１８は、吸引ポンプ１４の異常を検知するポンプセンサーと、このポンプセンサーが吸引ポンプ１４を異常状態であると判定した場合に、ポンプセンサーの信号により、吸引ポンプ１４の動作を止める制御装置を備えている。
【００１９】
以下、上記構成の冷凍機用除氷装置の動作について説明する。
まず、噴出ノズル８の上部にあるフック１１を用いて、除氷する冷凍庫に隣接した蒸発器に噴出ノズル８を係止する。
つぎに、第一のバルブ６を全開し、第二のバルブ１７を全閉した後、ガスバーナー４を点火する。第一の水管５から供給された除氷水は加熱された熱交換コイル３を通過し、瞬時に加熱される。
熱交換コイル３で加熱された除氷水は第一のホース１３を通過し、噴出ノズル８に供給される。この噴出ノズル８の噴出穴９から除氷水が蒸発器に向けて噴射され、蒸発器表面に着氷した氷を融解する。
【００２０】
氷が融解された水と混ざった除氷水は、蒸発器の下方に流れ落ち、排水受け１２に貯留される。
【００２１】
また、第一のバルブ６を全閉、第二のバルブ１７を全開に切り替え、吸引ポンプを作動されると、排水受け１２に貯留された除氷水が、吸引ポンプ１４により吸引され、第一の水管５を通り、再び熱交換コイル３に供給される。熱交換コイル３で、この除氷水は再度、加熱される。その後、除氷水は第一のホース１３を通過して、噴出ノズル８で噴射される。
【００２２】
以上、説明したように、この冷凍機用除氷装置によれば、蒸発器に付着した氷の厚みが増えた場合でも、加熱された除氷水を蒸発器に向けて噴射して、蒸発器表面に付着した氷を熱により融かすとともに、噴射された除氷水の動圧により除去し、氷を短時間で取り除くことができ、さらに、蒸発器から離れたところに着氷した場合であっても、除氷水をその氷に向けて噴射して、氷を取り除くことができる。
【００２３】
また、使用済みの除氷水が、排水受け１２に貯留され、その除氷水が吸引ポンプ１４で汲み上げられ、再び熱交換コイル３に供給され、加熱され、噴出ノズル８から噴射されるので、除氷水を再利用することができる。
さらに、第一のバルブ６および第二のバルブ１７の開閉開度の大きさにより、噴出ノズル８に流れる除氷水の量を調節することができるので、冷凍機に着氷した氷の量に応じて、噴出ノズル８から噴出される除氷水の量を調節することができる。
【００２４】
また、噴出ノズル８に断熱シート１０が取り付けられているので、除氷水が飛散することを防止できる。さらに、除氷水を浴びた蒸発器は、断熱シートの断熱効果により、冷凍庫内の冷気の影響を受けにくくなる。即ち、除氷水の熱が冷気に奪われにくくなるため、蒸発器に付着した氷は効率よく除去される。
【００２５】
また、噴出ノズル８は、可撓性のある銅配管でできているので、容易に変形させることができ、さまざまな冷凍機の形状に合わせることができる。
【００２６】
また、噴出ノズル８の上部には、フックが取付けられており、これによりこの噴出ノズル８を蒸発器に簡単に係止することができ、人の手で支える必要がない。さらに、噴出ノズル８が蒸発器に対して着脱可能であるので、除氷する時のみ蒸発器に取り付け、冷凍時は取り外すことができる。その結果、この除氷装置一台で複数の蒸発器を除氷することができる。
【００２７】
また、熱を発生させる加熱部には、ガスバーナー４が使用されているので、瞬時に熱交換コイル３が加熱され、除氷水が瞬時に加熱される。これにより、除氷にかかる作業時間が短縮できる。
【００２８】
なお、上記実施の形態１では、被加熱部として熱交換コイル３を例にして説明したが、勿論このものに限定されるものではなく、例えば、熱交換フィン構造であってもよい。
【００２９】
また、上記実施の形態１では、加熱部としてガスバーナーを例にして説明したが、勿論このものに限定されるものではなく、例えば電熱器であってもよい。
【００３０】
また、上記実施の形態１では、エネルギー貯蔵部としてガスボンベを例にして説明したが、勿論このものに限定されるものではなく、例えば電熱器に供給するバッテリーであってもよい。
【図面の簡単な説明】
【００３１】
【図１】本発明の実施の形態１に係る冷凍機用除氷装置の全体構成図である。
【符号の説明】
【００３２】
１  温水製造部、２  温水噴出部、３  熱交換コイル、４  ガスバーナー、５  第一の水管、６  第一のバルブ、７  ガスボンベ、８  噴出ノズル、９  噴出穴、１０  断熱シート、１１  フック、１２  排水受け、１３  第一のホース、１４  吸引ポンプ、１５  第二のホース、１６  第二の水管、１７  第二のバルブ、１８  保護装置、１９  ケース。
【図１】
2007100988.tif 000003